(57)【要約】【課題】表面が湾曲状の装飾体を、簡易な方法で手間を掛けずに作製することができ装飾体、および、表面が湾曲状の装飾体の作製方法を提供する。【解決手段】本発明に係る装飾体は、絵、地模様、写真などの絵柄を表示すると共に、変形自在な部材で形成された略矩形シート状の表示体２と、本体１に設けられ、表示体２の互いに対向する一対の端辺部にそれぞれ係合してスライド可能に受け入れる一対の案内溝２１ａ、２２ａとを備え、この一対の案内溝２１ａ、２２ａは、表示体２のスライド方向に沿って湾曲するように形成され、各案内溝２１ａ、２２ａには、一対の案内溝２１ａ、２２ａのスライド方向の少なくともいずれか一方の側に、表示体２を該案内溝２１ａ、２２ａに導入する導入部ｔ１、ｔ１’および／またはｔ２、ｔ２’が設けられ、この導入部を介して導入された表示体２は、一対の案内溝２１ａ、２２ａを介して本体１に着脱自在に支持されているものである。【選択図】図２
2009255339.tif 000002
【特許請求の範囲】
【請求項１】
本体と、
絵、地模様、写真などの絵柄を表示すると共に、変形自在な部材で形成された略矩形シート状の表示体と、
前記本体に設けられ、前記表示体の互いに対向する一対の端辺部にそれぞれ係合してスライド可能に受け入れる一対の案内溝と、
この一対の案内溝は、前記表示体のスライド方向に沿って湾曲するように形成され、
前記各案内溝には、前記一対の案内溝の前記スライド方向の少なくともいずれか一方の側に、前記表示体を該案内溝に導入する導入部が設けられ、
この導入部を介して導入された前記表示体は、前記一対の案内溝を介して前記本体に着脱自在に支持されていることを特徴とする装飾体。
【請求項２】
案内溝の導入部を塞ぐように前記本体に取り付けられた蓋体とを備えていることを特徴とする請求項１記載の装飾体。
【請求項３】
案内溝の導入部は、本体の一端に設けられていると共に、前記案内溝の前記導入部と反対側の端部は、前記本体の他端に設けられ、
表示体は、正面視、前記本体の奥行き側に向かって凸状に湾曲していることを特徴とする請求項１または２に記載の装飾体。
【請求項４】
案内溝の導入部は、本体の一端に設けられていると共に、前記案内溝の前記導入部と反対側の端部は、前記本体の他端に設けられ、
表示体は、正面視、前記本体の手前側に向かって凸状に湾曲していることを特徴とする請求項１または２に記載の装飾体。
【請求項５】
本体は、この本体の前面の一部に、表示体を出し入れするための出入空間を有し、
導入部は、正面視、前記出入空間に臨むように設けられていることを特徴とする請求項１〜３のいずれか１項に記載の装飾体。
【請求項６】
本体は、仏壇またはニッチであり、一対の案内溝は、表示体が前記仏壇またはニッチ内に載置される物品の背面に回り込むように形成されていることを特徴とする請求項５記載の装飾体。
【請求項７】
本体と、
絵、地模様、写真などの絵柄を表示すると共に、変形自在な部材で形成された略矩形シート状の表示体と、
前記本体に設けられ、前記表示体の互いに対向する一対の端辺部にそれぞれ係合してスライド可能に受け入れる一対の案内溝とを備え、
前記一対の案内溝を、前記表示体のスライド方向に沿って湾曲するように形成すると共に、
前記各案内溝において、前記一対の案内溝の前記スライド方向の少なくともいずれか一方の側に、前記表示体を該案内溝に導入する導入部を設けた後、
前記表示体を、前記導入部を介して導入すると共に、前記一対の案内溝を介して前記本体に支持させて該表示体の表面を湾曲させることを特徴とする表面が湾曲状の装飾体の作製方法。
【発明の詳細な説明】
【技術分野】
【０００１】
本発明は、ひな壇、仏壇、ニッチなどに用いられる表面が湾曲状の装飾体、および、表面が湾曲状の装飾体の作製方法に関する。
【背景技術】
【０００２】
従来、ひな壇、仏壇、ニッチなどに用いられ、載置されたひな人形や仏具などの物品の背面を飾るような装飾体にあっては、趣を出すために、例えば、木材を切削加工して表面を湾曲状に形成し、この形成された表面に絵や、地模様、写真などの絵柄を表示した装飾体などが用いられてきた。
【発明の開示】
【発明が解決しようとする課題】
【０００３】
しかしながら、上述したような装飾体にあっては、表面を湾曲状に形成するに際し、木材を切削加工により切り出して表面を成形するため、作製に多大な労力を要し、しかも廃材が多く発生して環境負荷が大きくなってしまうという問題点があった。
【０００４】
本発明は、上述した問題点を解決するためになされたものである。
【課題を解決するための手段】
【０００５】
請求項１に係る発明は、本体と、絵、地模様、写真などの絵柄を表示すると共に、変形自在な部材で形成された略矩形シート状の表示体と、前記本体に設けられ、前記表示体の互いに対向する一対の端辺部にそれぞれ係合してスライド可能に受け入れる一対の案内溝と、この一対の案内溝は、前記表示体のスライド方向に沿って湾曲するように形成され、前記各案内溝には、前記一対の案内溝の前記スライド方向の少なくともいずれか一方の側に、前記表示体を該案内溝に導入する導入部が設けられ、この導入部を介して導入された前記表示体は、前記一対の案内溝を介して前記本体に着脱自在に支持されている装飾体である。
【０００６】
請求項２に係る発明は、請求項１記載の装飾体において、案内溝の導入部を塞ぐように本体に取り付けられた蓋体とを備えているものである。
【０００７】
請求項３に係る発明は、請求項１または２に記載の装飾体において、案内溝の導入部は、本体の一端に設けられていると共に、前記案内溝の前記導入部と反対側の端部は、前記本体の他端に設けられ、表示体は、正面視、前記本体の奥行き側に向かって凸状に湾曲しているものである。
【０００８】
請求項４に係る発明は、請求項１または２に記載の装飾体において、案内溝の導入部は、本体の一端に設けられていると共に、前記案内溝の前記導入部と反対側の端部は、前記本体の他端に設けられ、表示体は、正面視、前記本体の手前側に向かって凸状に湾曲しているものである。
【０００９】
請求項５に係る発明は、請求項１〜３に記載の装飾体において、本体は、この本体の前面の一部に、表示体を出し入れするための出入空間を有し、導入部は、正面視、前記出入空間に臨むように設けられているものである。
【００１０】
請求項６に係る発明は、請求項５記載の装飾体において、本体は、仏壇またはニッチであり、一対の案内溝は、表示体が前記仏壇またはニッチ内に載置される物品の背面に回り込むように形成されているものである。
【００１１】
請求項７に係る発明は、本体と、絵、地模様、写真などの絵柄を表示すると共に、変形自在な部材で形成された略矩形シート状の表示体と、前記本体に設けられ、前記表示体の互いに対向する一対の端辺部にそれぞれ係合してスライド可能に受け入れる一対の案内溝とを備え、前記一対の案内溝を、前記表示体のスライド方向に沿って湾曲するように形成すると共に、前記各案内溝において、前記一対の案内溝の前記スライド方向の少なくともいずれか一方の側に、前記表示体を該案内溝に導入する導入部を設けた後、前記表示体を、前記導入部を介して導入すると共に、前記一対の案内溝を介して前記本体に支持させて該表示体の表面を湾曲させる表面が湾曲状の装飾体の作製方法である。
【発明の効果】
【００１２】
請求項１に記載の装飾体によれば、絵、地模様、写真などの絵柄を表示すると共に、変形自在な部材で形成された略矩形シート状の表示体と、本体に設けられ、前記表示体の互いに対向する一対の端辺部にそれぞれ係合してスライド可能に受け入れる一対の案内溝と、この一対の案内溝は、前記表示体のスライド方向に沿って湾曲するように形成され、前記各案内溝には、前記一対の案内溝の前記スライド方向の少なくともいずれか一方の側に、前記表示体を該案内溝に導入する導入部が設けられ、この導入部を介して導入された前記表示体は、前記一対の案内溝を介して前記本体に支持されているため、表示体を導入部から導入して湾曲した一対の案内溝に沿ってスライドさせるという簡易な方法で手間を掛けずに表示体表面が湾曲状の装飾体を作製することができ、表示体に立体感を付与して趣を出すことができ、しかも、部材を湾曲状に切り出しがない分、廃材を減らし、材料の有効利用を図ることができる。また、従来の装飾体にあっては、他の絵柄を使用するときには装飾体を別途作製しなければならず、多大な手間が掛かっていた。しかしながら、本発明の装飾体によれば、表示体は、一対の案内溝を介して本体に着脱自在に支持されているため、趣に合わせて表示体を容易に差し替えることができる。
【００１３】
請求項２に記載の発明によれば、請求項１に記載の装飾体の効果に加え、案内溝の導入部を塞ぐように本体に取り付けられた蓋体とを備えているため、表示体が導入部から抜け出るのを防止することができ、しかも、案内溝を隠して外観を良くすることができる。
【００１４】
請求項３に記載の発明によれば、請求項１または２に記載の装飾体の効果に加え、案内溝の導入部は、本体の一端に設けられていると共に、前記案内溝の前記導入部と反対側の端部は、前記本体の他端に設けられ、表示体は、正面視、前記本体の奥行き側に向かって凸状に湾曲しているため、奥行きのある立体感を表示体に付与することができ、より一層趣を出すことができる。
【００１５】
請求項４に記載の発明によれば、請求項１または２に記載の装飾体の効果に加え、案内溝の導入部は、本体の一端に設けられていると共に、前記案内溝の前記導入部と反対側の端部は、前記本体の他端に設けられ、表示体は、正面視、前記本体の手前側に向かって凸状に湾曲しているため、手前に迫り出すような立体感を表示体に付与することができ、より一層趣を出すことができる。
【００１６】
請求項５に記載の発明によれば、請求項１〜３に記載の装飾体の効果に加え、本体は、この本体の前面の一部に、表示体を出し入れするための出入空間を有し、導入部は、正面視、前記出入空間に臨むように設けられているため、たとえ本体の上方や側方、あるいは後方において、表示体を出し入れする作業空間が確保できないような場合であっても、表示体を本体の前面から容易に着脱することができ、着脱の都度、装飾体を移動させることなく、使い勝手が良い。
【００１７】
請求項６に記載の発明によれば、請求項５に記載の装飾体の効果に加え、本体は、仏壇またはニッチであり、一対の案内溝は、表示体が前記仏壇またはニッチ内に載置される物品の背面に回り込むように形成されているため、周囲の壁に邪魔されることなく、表示体を仏壇またはニッチの前面から出し入れすることができ、使い勝手が良い。
【００１８】
請求項７に記載の表面が湾曲状の装飾体の作製方法によれば、一対の案内溝を、表示体のスライド方向に沿って湾曲するように形成すると共に、前記各案内溝において、前記一対の案内溝の前記スライド方向の少なくともいずれか一方の側に、前記表示体を該案内溝に導入する導入部を設けた後、前記表示体を、前記導入部を介して導入すると共に、前記一対の案内溝を介して前記本体に支持させて該表示体の表面を湾曲させるため、表示体を導入部から導入して湾曲した一対の案内溝に沿ってスライドさせるという簡易な方法で表面が湾曲状の装飾体を作製することができ、しかも、部材を湾曲状に切り出しがない分、廃材を減らし、材料の有効利用を図ることができる。
【発明を実施するための最良の形態】
【００１９】
本発明に係る装飾体、および、表面が湾曲状の装飾体の作製方法について説明する。本発明の装飾体は、例えば、ひな壇に載置されたひな人形の背面に配置したり（例えば、ひな飾り用屏風の代用品、あるいは、ひな飾り台と屏風とを一体化したもの）、仏壇内の仏具あるいはニッチ（花瓶などを載置するために壁面に凹みが設けられた壁体）に飾られる装飾品などの物品の背面に配置して趣を出すものである。
【００２０】
図１〜図７は、ひな壇などに用いられる装飾体の一実施例であり、図１〜図７において、Ａは装飾体であり、装飾体Ａは、概略的に、本体１と、表示体２とにより構成されている。
【００２１】
本体１は、後述する表示体２を支持するものであり、例えば、図１に示したような表示体２の外周を取り囲むように形成された枠体などである。
【００２２】
この本体１は、例えば、図１、２に示したように、下側部材２２と、この下側部材２２の両端から垂直に立設した側方部材２３、２４と、下側部材２２に対向するように設けられ、側方部材２３、２４の各上端部に接続された上側部材２１とにより枠組みされている。なお、図２に示したように、側方部材２３と側方部材２４との間の略中央部において、上側部材２１と下側部材２２とを接続する補強部材５を設け、本体１を補強するようにしてもよい。
【００２３】
表示体２は、絵、地模様、写真などの絵柄を表示すると共に、変形自在な部材で形成された略矩形シート状のものであり、例えば、アクリル樹脂などの合成樹脂板や、ベニヤ板、金属薄板あるいは厚紙などのような変形自在なシート状の部材を略矩形状に成形し、この部材の表面に絵柄を印刷などにより表示した化粧板１１である。表示体２は、図２に示した一対の案内溝２１ａ、２２ａを介して本体１に着脱可能に設けられている（図１参照）。
【００２４】
ところで、表示体２は、図２に示したように、化粧板１１単独で用いてもよいが、図４（ａ）に示したように、化粧板１１と同じ外周形状に形成された透明な表面板１２を、化粧板１１に対応するように重ね合わせる構成にしたり、図４（ｂ）に示したように、化粧板１１と表面板１２との間に、写真や印刷物、色紙などの表示物１３を挟む構成としてもよい。表面板１２は、例えば、アクリル樹脂、ポリカーボネイト樹脂などのプラスチック材料、あるいは、その他の透明で変形自在な部材で形成することができる。また、この表示物１３は紙材に限らず、合成樹脂シート、金属箔などの材料で形成してもよい。
【００２５】
前述の一対の案内溝２１ａ、２２ａは、図２に示したように、表示体２の互いに対向する一対の端辺部１ａ、１ａにそれぞれ係合してスライド可能に受け入れるもので、例えば、本体１の上側部材２１と下側部材２２のそれぞれに、連続した凹部を互いに対向するように穿設されている。
【００２６】
なお、この一対の案内溝２１ａ、２２ａは、図５に示したように、ガイドレールにより設けてもよい。図５（ａ）、（ｂ）において、４１および４２は、ガイドレールであり、ガイドレール４１は上側部材２１に、ガイドレール４２は下側部材２２に、それぞれ接着剤などにより取り付けられている。各ガイドレール４１、４２は、図５（ｂ）に示したように、長手方向を横断する断面が略コ字状に形成され、略コ字状の凹部４１ａ、４２ａが案内溝２１ａ、２２ａとなるものであり、これらの凹部４１ａ、４２ａが互いに対向するように設けられている。
【００２７】
また、一対の案内溝２１ａ、２２ａは、表示体２のスライド方向に沿って湾曲するように形成されている。この湾曲は、図１、図２に示したように、一方向に向かって凸状となる単調なものや、図６（ｂ）に示したように、蛇行させたものであってもよい。ここで、スライド方向とは、一対の案内溝２１ａ、２２ａに沿って表示体２が進退する前後方向をいう。
【００２８】
また、各案内溝２１ａ、２２ａには、一対の案内溝２１ａ、２２ａのスライド方向の少なくともいずれか一方の側に、表示体２を該案内溝２１ａ、２２ａに導入する導入部が設けられている。図２、３、６、７は、この導入部を一対の案内溝２１ａ、２２ａのスライド方向の両側に設けた一例を示しており、図２において、ｔ１およびｔ１’は一対の案内溝２１ａ、２２ａのスライド方向の一方の側の導入部を、ｔ２およびｔ２’は一対の案内溝２１ａ、２２ａのスライド方向の他方の側の導入部をそれぞれ示している。各導入部ｔ１、ｔ１’および／またはｔ２、ｔ２’は、図２に示したように、つまり、スライド方向に沿って導入できるように、案内溝２１ａ、２２ａの端部を開放するようにして形成されている。なお、この導入部は、スライド方向のいずれか一方の側の端部（端部ｔ１、ｔ１’または端部ｔ２、ｔ２’のどちらか）に設ける構成にしてもよい。
【００２９】
さらに、前述の導入部ｔ１、ｔ１’および／またはｔ２、ｔ２’を介して導入された表示体２は、一対の案内溝２１ａ、２２ａを介して本体１に着脱自在に支持されている。したがって、あらかじめ複数の表示体２を用意しておけば、該表示体２を、導入部ｔ１、ｔ１’および／またはｔ２、ｔ２’を介して抜き差しすることにより、趣に合わせて容易に差し替えることができる。
【００３０】
ところで、スライド方向に沿って湾曲した一対の案内溝２１ａ、２２ａを設け、この一対の案内溝２１ａ、２２ａに表示体２を導入して、該表示体２を本体１に支持させる構成としたのは、簡易な方法で手間を掛けずに表示体２表面が湾曲状の装飾体Ａを作製することができるからである。すなわち、表示体２を一対の案内溝２１ａ、２２ａに沿ってスライドさせれば、この一対の案内溝２１ａ、２２ａに摺って表示体２が湾曲状に変形し、表面が湾曲状の装飾体を容易に作製することができるからである。
【００３１】
次に、上述した構成の装飾体Ａの作製方法について説明すると、本体１に、あらかじめ前述の一対の案内溝２１ａ、２２ａを表示体２のスライド方向に沿って湾曲するように形成すると共に、各案内溝２１ａ、２２ａにおいて、一対の案内溝２１ａ、２２ａのスライド方向の少なくともいずれか一方の側に、表示体２を該案内溝２１ａ、２２ａに導入する導入部ｔ１、ｔ１’および／またはｔ２、ｔ２’（図２は、両方の側に導入部ｔ１、ｔ１’およびｔ２、ｔ２’を設けたものを例示）を設けておく。
【００３２】
そして、表示体２を、導入部ｔ１、ｔ１’および／またはｔ２、ｔ２’を介して導入すると共に、一対の案内溝２１ａ、２２ａを介して本体１に支持させて該表示体２の表面を湾曲させる。具体的には、、例えば、図２に示したように、表示体２の上端縁１ａ’を導入部ｔ１から、下端縁１ｂ’を導入部ｔ１’から、矢印ｍで示した方向に向かって表示体２を一対の案内溝２１ａ、２２ａに差し入れ、表示体２の互いに対向する一対の端辺部１ａ、１ｂを、それぞれ一対の案内溝２１ａ、２２ａに係合させながら、表示体２の前端部１ｃが、該表示体２を導入した導入部ｔ１、ｔ１’と反対側の端部ｔ２、ｔ２’に達するまで一対の案内溝２１ａ、２２ａに沿ってスライドさせることにより装飾体Ａが作製される。
【００３３】
ところで、本体１には、図１〜３に示したように、蓋体３１、３２を取り付け、案内溝２１ａ、２２ａの導入部ｔ１、ｔ１’および／またはｔ２、ｔ２’を塞ぐようにしてもよい。この蓋体３１、３２は着脱可能に設けられるもので、具体的には、例えば、図３（ｂ）に示したように、側方部材２３、２４の前側に凸部２３ａ、２４ａを設け、凸部２３ａに嵌合する凹部３１ａを蓋体３１に、凸部２４ａに嵌合する凹部３２ａを蓋体３２にそれぞれ設け、これらを嵌合させて固定すると共に、この蓋体３１、３２により導入部ｔ１、ｔ１’および／またはｔ２、ｔ２’を塞ぐようにしてもよい。これら蓋体３１、３２を設けることにより、表示体２が案内溝２１ａ、２２ａから抜け出るのを防止することができ、しかも、導入部ｔ１、ｔ１’および／またはｔ２、ｔ２’を隠して外観を良くすることができるためである。
【００３４】
また、図２に示したように、案内溝２１ａ、２２ａの導入部ｔ１、ｔ１’または／およびｔ２、ｔ２’を、本体１の一端に設け、この導入部と反対側の案内溝２１ａ、２２ａの端部を、本体１の他端に設けると共に、表示体２を、正面視、本体１の奥行き側に向かって凸状に湾曲させたり、本体１の手前側に向かって凸状に湾曲させてもよい。この湾曲により表示体２に奥行きのある立体感や迫り出した立体感を付与することができ、より一層趣を出すことができる。
【００３５】
さらに、本体１は、図３（ａ）、（ｂ）に示したように、この本体１の前面の一部に、表示体２を出し入れするための出入空間Ｓ、Ｓを有し、導入部ｔ１、ｔ１’および／またはｔ２、ｔ２’は、正面視、前述の出入空間Ｓ、Ｓに臨むように設けるようにしてもよい。このように、導入部ｔ１、ｔ１’および／またはｔ２、ｔ２’を出入空間Ｓ、Ｓに臨ませることにより、例えば、図７に示したように、本体１の側方や後方、あるいは上方（図示せず）を壁Ｗで囲まれ、表示体２を出し入れする作業空間が確保できないような場合であっても、表示体２を本体１の前面から容易に着脱することができ、着脱の都度、装飾体を移動させることなく、使い勝手を良くすることができる。
【００３６】
次に、装飾体Ａを仏壇に適用した例を図８に、ニッチに適用した例を図９に示して説明する。図８において、１’は、前述の本体１となる仏壇の箱体であり、この箱体１’内に仏具（例えば、位牌）などの物品ｂが載置されているもので、箱体１’は、天板２１’、底板２２’および側板２３’、２４’により構成されている。また、２は表示体を、３１、３２は蓋体をそれぞれ示している。表示体２は天板２１’と底板２２’とに設けられた一対の案内溝２１’ａ、２２’ａを介して箱体１’に着脱自在に支持され、物品ｂの背面に回り込むように形成されている。また、箱体１’（１）は、前面に表示体２を出し入れするための出入空間Ｓ、Ｓを有し、導入部ｔ１、ｔ１’および／またはｔ２、ｔ２’は、この出入区間Ｓ、Ｓに臨むように設けられている。
【００３７】
また、図９において、１”は、前述の本体１となる壁体（ニッ０チ）であり、この壁体１”には天部２１”と底部２２”と側部２３”、２４”とに囲まれた凹部１”ａが設けられ、この凹部１”ａ内に花器などの物品ｂが載置されている。また、表示体２は、天部２１”と底部２２”とに設けられた一対の案内溝２１”ａ、２２”ａを介して壁体１”に着脱自在に支持され、物品ｂの背面に回り込むように形成されている。また、壁体１”（１）は、前面に表示体２を出し入れするための出入空間Ｓ、Ｓを有し、導入部ｔ１、ｔ１’および／またはｔ２、ｔ２’は、この出入区間Ｓ、Ｓに臨むように設けられている。
【００３８】
上述したように、装飾体Ａを仏壇やニッチに適用した場合にあっては、通常、壁Ｗに囲まれた建具内に嵌め込まれたり（図７参照）、壁体１”に設けられているため、導入部ｔ１、ｔ１’および／またはｔ２、ｔ２’を、正面視、出入空間Ｓ、Ｓに臨むように設けることで、周囲の壁Ｗ（壁体１”）に邪魔されることなく、表示体２を仏壇またはニッチの前面から出し入れすることができ、使い勝手が良い。
【００３９】
ところで、上述した実施例では、一対の案内溝２１ａ、２２ａを、本体１の上下に位置する部材（上側部材２１と下側部材２２、天板２１’と底板２２’、および、天部２１”と底部２２”）に設けた例を説明したが、これらに代えて、側方に位置する部材（側方部材２３、２４、側板２３’、２４’、側部２３”、２４”）に設け、表示体２が一対の案内溝に沿って上下方向に湾曲するようにしてもよい。
【図面の簡単な説明】
【００４０】
【図１】本発明の一実施例を示した概略的斜視図である。
【図２】図１の各部材を分解して示した概略的斜視図である。
【図３】図１のＸ−Ｘ線で切断した概略的断面図であり、図３（ａ）は全体図を、図３（ｂ）は図３（ａ）の被覆部材を分解して一部を拡大した部分図をそれぞれ示している。
【図４】図２の表示体の変形例を示すと共に一部を破断した概略的斜視図であり、図４（ａ）は表示体を化粧板および表面板により構成した図を、図４（ｂ）は表示体を化粧板、表面板および表示物により構成した図をそれぞれ示している。
【図５】図１の案内溝をガイドレールにより設けた概略図であり、図６（ａ）は一部を破断して示した斜視図であり、図６（ｂ）は図６（ａ）のＺ−Ｚ線で切断した断面図をそれぞれ示している。
【図６】図１の案内溝の変形例を示した概略図であり、図５（ａ）は正面図を、図５（ｂ）は図５（ａ）のＹ−Ｙ線で切断した断面図をそれぞれ示している。
【図７】図１の使用状態を示した概略的平面図であり、一部を破断して示したものである。
【図８】本発明に係る装飾体を、仏壇に適用したときの概略的斜視図である。
【図９】本発明に係る装飾体を、ニッチに適用したときの概略的斜視図である。
【符号の説明】
【００４１】
Ａ        装飾体
Ｓ        出入空間
ｂ        物品
１        本体
２        表示体
２１ａ    案内溝
２２ａ    案内溝
ｔ１、ｔ２、ｔ１’、ｔ２’    導入部
３１、３２  蓋体
４１、４２  ガイドレール
【図１】
2009255339.tif 000003
【図２】
2009255339.tif 000004
【図３】
2009255339.tif 000005
【図４】
2009255339.tif 000006
【図５】
2009255339.tif 000007
【図６】
2009255339.tif 000008
【図７】
2009255339.tif 000009
【図８】
2009255339.tif 000010
【図９】
2009255339.tif 000011